(57)【要約】【課題】グリップ力を向上させるための滑り止め部を必要且つ十分な範囲に備えた手すりの提供。【解決手段】手すり棒１の軸中心１ｅを通る仮想の水平線ｘの下側で、且つ、この軸中心１ｅを通る仮想の垂直線ｙよりも手すりＲの利用者の歩行側に位置される側部１ａ’における、前記軸中心１ｅから放射方向に延びて前記垂直線ｙとの間に６５度の鋭角を形成する仮想の線分ｚ１とこの垂直線ｙとの間に位置される箇所の全部又は一部を手すり棒１の長さ方向に亘る滑り止め部１ｂとしてなる。【選択図】図１
2012241364.tif 000002
【特許請求の範囲】
【請求項１】
手すり棒の軸中心を通る仮想の水平線の下側で、且つ、この軸中心を通る仮想の垂直線よりも手すりの利用者の歩行側に位置される側部における、前記軸中心から放射方向に延びて前記垂直線との間に６５度の鋭角を形成する仮想の線分とこの垂直線との間に位置される箇所の全部又は一部を手すり棒の長さ方向に亘る滑り止め部としてなることを特徴とする手すり。
【請求項２】
手すり棒の軸中心を通る仮想の水平線の下側で、且つ、この軸中心を通る仮想の垂直線よりも手すりの利用者の歩行側と反対の側に位置される側部における、前記軸中心から放射方向に延びて前記水平線との間に４０度の鋭角を形成する仮想の線分とこの水平線との間に位置される箇所の全部又は一部を手すり棒の長さ方向に亘る追加滑り止め部としてなることを特徴とする請求項１に記載の手すり。
【発明の詳細な説明】
【背景技術】
【０００１】
手すりを構成する手すり棒の一部を弾性部材から構成させてなる手すりがある。（特許文献１参照）かかる手すりは、手すりを使って体を支える必要がある場合には弾性部材を圧縮変形させて手すりをしっかりと握れるようにしようとするものであるが、弾性部材は手すり棒の直径方向両側に単純に設けられているに過ぎない。
【先行技術文献】
【特許文献】
【０００２】
【特許文献１】特開平１１−１３１７４１号公報
【発明の概要】
【発明が解決しようとする課題】
【０００３】
この発明が解決しようとする主たる問題点は、グリップ力を向上させるための滑り止め部を必要且つ十分な範囲に備えた手すりを提供する点にある。
【課題を解決するための手段】
【０００４】
前記課題を達成するために、この発明にあっては、手すりを、手すり棒の軸中心を通る仮想の水平線の下側で、且つ、この軸中心を通る仮想の垂直線よりも手すりの利用者の歩行側に位置される側部における、前記軸中心から放射方向に延びて前記垂直線との間に６５度の鋭角を形成する仮想の線分とこの垂直線との間に位置される箇所の全部又は一部を手すり棒の長さ方向に亘る滑り止め部としてなるものとした。
【０００５】
かかる手すりにあっては、これを構成する手すり棒における手すりの利用者の親指がおおむね接する箇所に前記滑り止め部を備えていることから、手すり棒を握って体を支える必要がある場合には滑りを生じることなく適切に手すり棒を握ることが可能となる。一方、手すり棒に手を摺らせながらの歩行をなす場合には滑り止め部を手のひらに接しさせることはない。
【０００６】
前記手すり棒の軸中心を通る仮想の水平線の下側で、且つ、この軸中心を通る仮想の垂直線よりも手すりの利用者の歩行側と反対の側に位置される側部における、前記軸中心から放射方向に延びて前記水平線との間に４０度の鋭角を形成する仮想の線分とこの水平線との間に位置される箇所の全部又は一部を手すり棒の長さ方向に亘る追加滑り止め部としておくこともある。このようにした場合、手すり棒を握って体を支える必要がある場合には滑りを生じることなく一層適切に手すり棒を握ることが可能となる。
【発明の効果】
【０００７】
この発明によれば、手すりにグリップ力を向上させるための滑り止め部を必要且つ十分な範囲に備えさせることができ、したがって、かかる滑り止め部が手すりの外観性に与える影響を最小限化できると共に、既存の手すりを出発材料としてこれに対して余分な加工を施すことなく容易且つ適切に滑り止め部を備えた手すりを製造することもできる。
【図面の簡単な説明】
【０００８】
【図１】図１は実施の形態にかかる手すりを構成する手すり棒の断面構成図であり、手すり棒が滑り止め部のみを備えた例を示している。
【図２】図２は実施の形態にかかる手すりを構成する手すり棒の断面構成図であり、手すり棒が滑り止め部と追加滑り止め部とを備えた例を示している。
【図３】図３は実施の形態にかかる手すりを構成する手すり棒の断面構成図であり、手すり棒が図１に示される例よりも狭い範囲で滑り止め部のみを備えた例を示している。
【図４】図４は実施の形態にかかる手すりを構成する手すり棒の断面構成図であり、手すり棒が図２に示される例よりも狭い範囲で滑り止め部を備えると共に、さらに追加滑り止め部とを備えた例を示している。
【図５】図４に示される手すり棒を含んで構成される手すりの使用状態を示した要部断面構成図である。
【図６】図４に示される手すり棒の斜視構成図である。
【発明を実施するための形態】
【０００９】
以下、図１〜図６に基づいて、この発明の典型的な実施の形態について、説明する。この実施の形態にかかる手すりＲは、これを構成する手すり棒１の側部１ａの一部を滑り止め部１ｂとしてなるものである。
【００１０】
図示の例では、手すりＲは、手すりＲの利用者の歩行面に平行をなすように手すり棒１を配させている。図５中符号２で示すのは手すり棒１の中間を壁Ｗに支持させるための中間ブラケットである。
【００１１】
図示の例では、滑り止め部１ｂは、手すり棒１の側部１ａに、手すり棒１の長さ方向に沿った溝１ｃを形成し、この溝１ｃに弾性変形特性を備えた長尺体１ｄをこの溝１ｃに沿って嵌め込み状に取り付けることで手すり棒１に形成されている。手すり棒１は、その横断面においてその外郭を手すり棒１の軸中心１ｅを円心とする円の円弧に略倣わせた丸棒状のもの、あるいは、これに準じた棒状のものが予定される。かかる円の直径は、幼児から成人男性までのにぎり内径（親指の指先と中指の指先とをこれらの内側に円形の空間ができるように接しさせたときのこの空間の直径）を考慮すると、２５ｍｍ〜４０ｍｍの範囲である。かかる長尺体１ｄは、典型的には、ゴムや、ゴム状弾性を備えたプラスチックなどの押出成形品から構成することができる。典型的には、長尺体１ｄとしては、前記溝１ｃの溝幅と略同じ幅を持ち、かつ、前記溝１ｃの深さと略同じ厚さを備えたものを利用する。このような長尺体１ｄは中空に構成させても良い。
【００１２】
また、滑り止め部１ｂは、前記のような溝１ｃに、表面を摩擦抵抗の高い面、典型的には、粗面（しぼづけされた面、ローレット加工された面、サンドブラスト加工された面など）とした長尺体１ｄを嵌め込み状に取り付けることでも形成させることができる。
【００１３】
あるいはまた、かかる滑り止め部１ｂは、手すり棒１自体の表面を加工して、その側部１ａの一部を前記のような摩擦抵抗の高い面とすることによっても手すり棒１に形成させることができる。
【００１４】
あるいはまた、かかる滑り止め部１ｂは、手すり棒１自体の表面に、表面を前記のような摩擦抵抗の高い面とした帯状体を貼着などすることによっても手すり棒１に形成させることができる。
【００１５】
この実施の形態にかかる手すりＲでは、手すり棒１の軸中心１ｅを通る仮想の水平線ｘの下側で、且つ、この軸中心１ｅを通る仮想の垂直線ｙよりも手すりＲの利用者の歩行側に位置される側部１ａ’における、前記軸中心１ｅから放射方向に延びて前記垂直線ｙとの間に６５度の鋭角を形成する仮想の線分ｚ１とこの垂直線ｙとの間に位置される箇所の全部又は一部を手すり棒１の長さ方向に亘る前記滑り止め部１ｂとしている。（図１〜図４）
【００１６】
また、図２及び図４に示される例では、手すり棒１の軸中心１ｅを通る仮想の水平線ｘの下側で、且つ、この軸中心１ｅを通る仮想の垂直線ｙよりも手すりＲの利用者の歩行側と反対の側に位置される側部１ａ”における、前記軸中心１ｅから放射方向に延びて前記水平線ｘとの間に４０度の鋭角を形成する仮想の線分ｚ２とこの水平線ｘとの間に位置される箇所の全部又は一部を手すり棒１の長さ方向に亘る追加滑り止め部１ｆとしている。図示の例では、かかる追加滑り止め部１ｆは、前記滑り止め部１ｂと同様に、手すり棒１の側部１ａに、手すり棒１の長さ方向に沿った溝１ｇを形成し、この溝１ｇに弾性変形特性を備えた長尺体１ｄをこの溝１ｇに沿って嵌め込み状に取り付けることで手すり棒１に形成されている。
【００１７】
手すり棒１の直径３５ｍｍとする手すりＲを用意し、男女各５名の健常者に、これを握りながらの水平歩行と、階段昇りと、階段下りとを行ってもらい、その際に手すり棒１に加わる荷重を手すり棒１の軸中心１ｅを巡る各位置において測定した。この荷重は手すり棒１の側部１ａにシート状の圧力センサを取り付けることで測定した。その結果を以下に示す。
【表１】
2012241364.tif 000003
【００１８】
手すり棒１に加わる荷重は、手のひらが当たる手すりＲの上部が最も大きく、次いで、親指が接する表１における５０度近辺と、他の指が接する表１における２９０度近辺が大きいことが分かった。
【００１９】
この実施の形態にかかる手すりＲにあっては、これを構成する手すり棒１における手すりＲの利用者の親指がおおむね接する箇所に前記滑り止め部１ｂを備えていることから、手すり棒１を握って体を支える必要がある場合には滑りを生じることなく適切に手すり棒１を握ることが可能となる。一方、手すり棒１に手を摺らせながらの歩行をなす場合には滑り止め部１ｂを手のひらに接しさせることはない。すなわち、この実施の形態にかかる手すりＲはこれに対するグリップ力を向上させるための滑り止め部１ｂを必要且つ十分な範囲に備えたものとなっている。
【００２０】
また、図２及び図４に示される手すりＲにあっては、これを構成する手すり棒１における手すりＲの利用者の親指以外の指がおおむね接する箇所に前記追加滑り止め部１ｆを備えていることから、手すり棒１を握って体を支える必要がある場合には滑りを生じることなく一層適切に手すり棒１を握ることが可能となる。
【００２１】
図３及び図４に示される例では、滑り止め部１ｂを、前記軸中心１ｅから放射方向に延びて前記垂直線ｙとの間に６５度の鋭角を形成する仮想の線分ｚ１と、この仮想の直線ｚ１と前記軸中心１ｅから放射方向に延びて前記垂直線ｙとの間に３５度の鋭角を形成する仮想の線分ｚ３との間に位置される箇所にのみ形成させている。この図３及び図４に示される例では、普通に手すり棒１を握った場合に親指が接することが確実な範囲周辺に限って滑り止め部１ｂを形成させている。
【符号の説明】
【００２２】
Ｒ  手すり
ｘ  水平線
ｙ  垂直線
ｚ１  線分
１ａ’  側部
１  手すり棒
１ｂ  滑り止め部
１ｅ  軸中心
【図１】
2012241364.tif 000004
【図２】
2012241364.tif 000005
【図３】
2012241364.tif 000006
【図４】
2012241364.tif 000007
【図５】
2012241364.tif 000008
【図６】
2012241364.tif 000009